(57)【要約】【課題】  トリムをトリム処理装置等へ給送するには、エジェクタ効果を利用して給送管に吸い込む構造が採用されているが、エジェクタ効果を担う送風管が給送管内に位置した２重管構造であるため、送風管がトリムの給送通路を狭めてしまうことに鑑み、２重管構造を採用することなく、トリム給送の障害物をなくし、円滑に給送できる紙のトリム給送装置を提供する。【解決手段】  発生したトリムＴに一端部を臨ませた給送管30に、送風管40に連通したチャンバー31を捲回して設け、該チャンバー31の一端部側に給送管30に連通させるためのノズルスリット32を設け、ノズルスリット32から給送管30に給送風を吹き出させる。このとき、給送風がコアンダ効果を受けてトリムＴを吸引する側と反対方向へ給送風が流れるようにする。トリムＴは給送風によるエジェクタ効果で吸引され、給送風によってトリム処理装置まで給送される。【選択図】        図１
2006281551.tif 000002
【特許請求の範囲】
【請求項１】
紙シートの幅方向の端部を切断して生成されるトリムを、トリム処理装置やパルパー等の所定の装置に空気流を利用して給送する紙のトリム給送装置において、
トリムを給送する給送管の一部に環状のチャンバーを該捲回して配設し、
前記チャンバーの一部であって給送管の軸方向の一方の端部に、該給送管に連通するノズルスリットを環状に、連続してまたは断続させて形成し、
前記ノズルスリットから吹き出された給送風が給送管の管壁に沿って流れるよう案内する案内手段を設け、
前記給送管の前記ノズルスリットが臨む方向と反対側の方向から、該給送管にトリムを導入することを特徴とする紙のトリム給送装置。
【請求項２】
前記案内手段は、外側面を円弧状に形成した給送管に捲回させた案内板であり、前記給送風が該案内板の円弧状の案内面に案内されて給送管に吹き出すことを特徴とする請求項１に記載の紙のトリム給送装置。
【請求項３】
前記給送管の一部であって前記チャンバーのノズルスリットを給送管の内部側に突出した位置に設け、該突出した部位に前記案内板を配設し、給送管を該案内板から下流に向かって徐々に拡径してあることを特徴とする請求項２に記載の紙のトリム給送装置。
【発明の詳細な説明】
【技術分野】
【０００１】
この発明は、抄紙機やワインダー、カッター等で、巻取紙の紙シートの端部を切断することにより発生する不要な細幅の紙シートであるトリムを、空気流を利用してパルパーやトリム処理装置へ給送する紙のトリム給送装置に関する。
【背景技術】
【０００２】
抄紙機で完成された紙はリールパートでロールに巻き取られた状態で製品化され、さらに用途に応じて加工される。完成される際には、所定の紙幅となるように端部を切断されることがある。また、例えば輪転印刷機には、巻取紙の状態で提供されるが、リールパートで巻き取られた状態のままでは印刷機に供するには幅員が大きすぎるため、ワインダーに供して巻き戻しながらスリッターナイフ等で適宜な幅員に切断して再び巻き取られて巻取紙とされて出荷される。さらに、大判紙等の場合には、所定の縦横寸法に断裁した平判状シートにして出荷されることになる。ワインダーやカッターで切断される場合にも、紙幅を所定の寸法にするために、幅方向の端部が切断される。
【０００３】
これら幅方向の端部を切断した細幅の紙シートであるトリムは、再度製紙原料に添加するために、パルパーやトリム処理装置に供されることになり、この給送にトリム給送装置が用いられる。図７及び図８は、従来のこの種のトリム給送装置の構造を説明する図である。図７に示すように、大径の給送管１に対して、斜め方向から小径の送風管２が接続されている。送風管２は給送管１の断面中央部近傍まで進入させてあり、該給送管１の中で開口し、該開口部2aが給送管１の軸Ａの方向を臨んで配されている。トリムＴは、前記送風管２の開口部2aが臨んでいる側と反対側から給送管１に導入される。この送風管２から給送風を送風すると、開口部2aと反対側が負圧となっていわゆるエジェクタ効果によりトリムＴが吸引され、送風管２の開口部2aを通過した後は、給送風の空気流によって図示しないトリム処理装置まで給送される。
【０００４】
また、図８に示す紙のトリム給送装置は、大径の送風管３に小径の給送管４がほぼ直角方向から接近し、曲がり管4aを介して進入し、該給送管４の開口部4bが送風管３の軸Ａの方向を臨ませてある。給送管４の前記開口部4bが臨む側と反対側から送風管３に給送風を送風すると、エジェクタ効果を受けて給送管４内が吸引されて負圧になるから、該給送管４に導入されたトリムＴが吸引されて送風管３に給送され、開口部4bを通過した後は、給送風の空気流によって図示しないトリム処理装置まで給送される。
【０００５】
しかしながら、図７に示す構造の紙のトリム給送装置では、トリムが通過する断面積が、送風管２が進入した位置で縮小されると共に、送風管２から吹き出された空気は、開口部2aの先で流速が断面で一様でなくなり、位置によっては流速が殆ど無い所が存することになるおそれがある。このため、前記縮小部を通過しようとするトリムＴが抵抗を受けて、該縮小部で詰まってしまうおそれがある。
【０００６】
また、図８に示す紙のトリム給送装置では、給送管４が進入した部分では送風管４の管壁との間隔が狭められて風速が減少するため、トリムＴの速度も減少し、挙動が安定しなくなって当該部分で詰まりが生じるおそれがある。
【０００７】
ところで、薄様なウェブの走行を案内するための装置として、例えば特許文献１に記載された走行ウエブの制振方法、制振装置及び紙継ぎ補助装置がある。この制振装置は、走行ウエブの振動を制振することができると共に、走行ウエブの表面を傷めることを少なくするもので、走行ウエブの一方の面とこれに近接して設けた壁面との間に、走行ウエブの走行方向の上流側から下流側へ向けて気体を高速で流動させて、壁面に沿って高速かつ低圧の気流が形成される所謂コアンダ効果現象を生じさせ、このコアンダ効果現象により走行ウエブを壁面側に引き寄せて走行ウエブの振動を抑えるようにしたものである。
【０００８】
【特許文献１】特開平１１−３２２１４６
【発明の開示】
【発明が解決しようとする課題】
【０００９】
前述したように、従来の紙のトリム給送装置では、エジェクタ効果を得るために、それぞれ給送管１、４と送風管２、３とからなる２重管構造が採用されているから、トリムの通路の面積が狭められる部位が存在し、流速が減じられてトリムの挙動が安定しなくなって詰まってしまうおそれがある。このため、トリムを安定して給送するためには、高速で給送することができず、ワインダーやカッター等の運転速度を上げることができなくなり、操業上の問題となっている。
【００１０】
他方、前記特許文献１に記載された走行ウエブの制振装置のように、コアンダ効果を利用してウェブの走行を案内する構造では、シートの端面側を開放した状態でガイド板を設置できる。しかし、細幅の紙シートでは気流に影響されやすく、斯かる開放型のガイド板では確実な案内を期待できない。
【００１１】
そこで、この発明は、紙シートの端部を切断して生じるトリムのような細幅の紙シートを高速で給送しても、途中で詰まりなどが生じることなく、確実に所定の装置等まで案内することができる紙のトリム給送装置を提供することを目的としている。
【課題を解決するための手段】
【００１２】
前記目的を達成するための技術的手段として、この発明に係る紙のトリム給送装置は、紙シートの幅方向の端部を切断して生成されるトリムを、トリム処理装置やパルパー等の所定の装置に空気流を利用して給送する紙のトリム給送装置において、トリムを給送する給送管の一部に環状のチャンバーを該捲回して配設し、前記チャンバーの一部であって給送管の軸方向の一方の端部に、該給送管に連通するノズルスリットを環状に、連続してまたは断続させて形成し、前記ノズルスリットから吹き出された給送風が給送管の管壁に沿って流れるよう案内する案内手段を設け、前記給送管の前記ノズルスリットが臨む方向と反対側の方向から、該給送管にトリムを導入することを特徴としている。
【００１３】
前記ノズルスリットから給送風が吹き出されると、エジェクタ効果により給送方向に向かう側と反対側の空気が吸引されて負圧になる。このため、前記給送管に導入されたトリムは吸引されて、給送管を前記ノズルスリットに向かって給送される。ノズルスリットの部分を通過したトリムは、該ノズルスリットから吹き出された給送風によって給送される。このとき、給送風は管壁に沿って流れるから、トリムも管壁に沿って給送されることになり、この給送管の出口に接続されたトリム処理装置等に至る。なお、給送風は、コアンダ効果を利用することにより、容易に管壁に沿わせて流れるようにすることができる。
【００１４】
また、請求項２の発明に係る紙のトリム給送装置は、前記案内手段は、外側面を円弧状に形成した給送管に捲回させた案内板であり、前記給送風が該案内板の円弧状面に案内されて給送管に吹き出すことを特徴としている。
【００１５】
ノズルスリットから給送管内に吹き出される給送風は、コアンダ効果を受けて前記円弧状の案内手段に沿って給送管内に吹き出す。このとき、給送風は円弧状の案内面に沿って案内されるから、管壁まで案内され、以後は管壁に沿って流れることになる。
【００１６】
また、請求項３の発明に係る紙のトリム給送装置は、前記給送管の一部であって前記チャンバーのノズルスリットを配した部位を他の部位よりも縮径して該ノズルスリットを給送管の内部側に突出した位置に設け、該突出した部位に前記案内板を配設し、給送管を該案内板から下流に向かって徐々に拡径してあることを特徴としている。
【００１７】
ノズルスリットから吹き出された給送風は、該ノズルスリットの部位で縮径されているため、その下流側の徐々に拡径されている管壁に向かってコアンダ効果を受けて流れ、トリムはこの給送風を受けて給送される。
【発明の効果】
【００１８】
この発明に係る紙のトリム給送装置によれば、前記ノズルスリットは給送管の管壁に形成されているから、該給送管の内部に送風管等のトリムの給送の障害物が存しない。このため、トリムが詰まることがなく、トリム処理装置等まで円滑に給送できる。しかも、コアンダ効果を受けるため、給送風は管壁とほぼ平行に層状となって流れるから、トリムに不測の挙動を与えることがなく、安定した給送を行える。このため、トリムの給送速度を大きくすることができ、ワインダーやカッター等の運転速度を大きくできる。
【００１９】
また、請求項２の発明に係る紙のトリム給送装置によれば、ノズルスリットから吹き出される給送風は、コアンダ効果によって円弧状の案内面に沿って流れるから、その後に管壁に容易に沿わすことができ、トリムを給送するのに適した流れとなるよう調整される。しかも、鋼管等を環状に曲げ成形すれば円弧状の案内面を容易に形成することができる。
【００２０】
また、請求項３の発明に係る紙のトリム給送装置によれば、ノズルスリットの下流側で徐々に拡径されることにより、給送風の流速を徐々に安定させることができる。このため、該給送風により給送されるトリムを安定させて、トリム処理装置等まで円滑に給送することができる。
【発明を実施するための最良の形態】
【００２１】
以下、図示した好ましい実施の形態に基づいて、この発明に係る紙のトリム給送装置を具体的に説明する。
【００２２】
トリムは抄紙機やワインダー、カッター等で、紙シートの端部を切断した際に生成されるもので、例えば平判状シートを製造するカッターでは、巻取紙を巻き戻しながら所定の幅員となるようにテールスリッター等で端部を切断する。先ず、トリムＴの発生について、カッターを例示してして説明する。図６は平判状シートを製造するカッター装置10の概略構造を示す斜視図で、巻取紙Ｐは図示しないアンリールスタンドに支持されて、巻き戻されながら複数枚が重ね合わされて、カッター部１の入口に設けられてリードインロール11に給送される。該リードインロール11の下流にテールスリッター12、エキスパンダロール13a を備えたペーパーロール13、６組のスリッターナイフ14a 、14b 、14c 、14d 、14e 、14f 、が順次配されている。これらスリッターナイフ14のうちの両端部に位置したスリッターナイフ14a、14fは、必要に応じて、前記テールスリッター12と同様に、紙Ｐの幅方向の両端部を切断して、紙Ｐの幅を揃える。そして、中央部のスリッターナイフ14b 、14c 、14d 、14e で、給送されたシートを幅方向の所定の位置で切断するもので、これらのスリッターナイフ14によって５本のシート列Ｌ1 、Ｌ2 、Ｌ3 、Ｌ4 、Ｌ５ に切断され、いわゆる５丁取りされることになる。上記スリッターナイフ14の下流には、第１フィードロール15が設けられている。
【００２３】
前記第１フィードロール15の下流側の適宜距離を隔てた位置には、該第１フィードロール15とほぼ等しい高さで第２フィードロール16が設けられている。この第２フィードロール16の下流側で、斜め下方に第１ナイフ21と第３ナイフ23とが、ほぼ等しい高さ位置に設けられている。また、前記第１フィードロール15の斜め下方には第２ナイフ22が設けられている。
【００２４】
前記第１ナイフ21と第３ナイフ23とは、それぞれが紙Ｐの幅方向の両端部を臨む位置に配設されており、前記第２ナイフ22は、紙Ｐの幅方向の中央部を臨む位置に配設されている。
【００２５】
そして、前記スリッタナイフ14で幅方向に切断された紙シートが、前記第１〜第３ナイフ21〜23の回転するトップロータ21b、22b、23bが備えたターニングナイフ21c、22c、23cとボトムロータ21a、22a、23aとの間を通過する際に、流れ方向の適宜位置で断裁された平判状シートとされる。
【００２６】
このカッター装置10では、前記テールスリッタ12やスリッターナイフ14a、14fで紙シートの端部を切断することによりトリムＴが発生する。
【００２７】
図１はこの発明に係る紙のトリム給送装置の概略の構造を説明する図で、大径の給送管30に対してブロア等に接続された送風管40が接続されている。この送風管40との接続部には、図１〜図４に示すように、給送管30に捲回されてチャンバー31が設けられており、送風管40はこのチャンバー31に連通させてある。そして、該チャンバー31は給送管30の軸Ａの方向の一端部で、該給送管30の内部に連通させてある。この連通部にはノズルスリット32が形成されて、チャンバー31からこのノズルスリット32を通って給送風が給送管30に、一方向に向けて吹き出されるようにしてある。また、図３に示すように、送風管40とチャンバー31との接続部は、送風管40から吹き込まれる給送風がチャンバー31の全体に均等に行き渡るように、チャンバー31の一部を接線方向に伸張させたガイド部31aが設けられている。
【００２８】
図４は前記ノズルスリット32を拡大して示す断面図である。給送管30の前記チャンバー31の下端部を臨む適宜部位を内側に斜めに折曲してガイド板部32aが形成され、このガイド板部32aの外側面を臨む位置に鋼管等を曲げ成形した円筒状のノズル部材32bが給送管30に捲回された状態に設けられている。すなわち、このガイド板部32aとノズル部材32bとにより案内手段が構成され、ノズル部材32bの円弧状面が案内面とされている。図４に示すように、このノズル部材32bは、チャンバー31を形成する底板31bの内側先端縁と、前記ガイド板部32aを切り欠いた部分とに溶着されている。また、このノズル部材32bは給送管30の内部側に突出する状態に位置させてある。なお、前記ガイド板部32aとこのノズル部材32bとはこれらの位置関係を維持するよう、部分的に溶着されている。すなわち、これらガイド板部32aとノズル部材32bとの間に形成された間隙がノズルスリット32とされている。
【００２９】
また、ノズル部材32bが給送管30の内側に突出させてあるため、給送管30の一部であって前記ノズル部材32bの下側に位置している部分を内側に位置させてあり、しかも、給送管30の内側壁面がノズル部材32bの円弧面の接線方向となるようにしてある。したがって、当該部分で給送管30は縮径されており、さらに、図１及び図２に示すように、ノズル部材32bと溶着された部分から徐々に拡径して円錐面部30aが設けられ、その後に送風管40との接合部の上流側の径とほぼ等しい径となるようにしてある。
【００３０】
以上により構成されたこの発明の実施形態に係る紙のトリム給送装置の作用を、以下に説明する。
【００３１】
前記給送管30の一端部は、図６に示すトリムＴの生成位置に臨ませて配置されている。前記送風管40から給送風を給送管30に供給すると、エジェクタ効果によって給送管30内に負圧の部分が発生し、一端部からトリムＴが吸引されて給送管30に導かれることになる。吸引されたトリムＴは送風管40との接続部のノズルスリット32を通過し、以後は供給された給送風によって給送され、図示しないトリム処理装置まで導かれる。
【００３２】
ノズルスリット32から給送管30に吹き込まれた給送風は、前記ノズル部材32bの円弧状面に案内されて、コアンダ効果を受けて該円弧状面に沿って吹き込まれることになる。円弧状面を通過した後は、給送管30の内壁面に沿って層状となって流れる。このため、トリムＴは給送管30内を壁面に沿って給送される。しかも、この層状の流れは安定しているため、トリムＴは挙動が安定した状態で給送されることになる。さらに、給送風は給送管30の管壁に設けられたノズルスリット32から吹き込まれるから、給送管30の内部に従来のような送風管が存することなく、トリムＴの給送の障害となるものはない。したがって、給送風を高速にした場合でも、トリムＴはトリム処理装置等まで高速で円滑に給送される。
【００３３】
前述した実施形態では、ノズルスリット32の部分で給送管30が縮径され、その後徐々に拡径させてノズルスリット32の上流側とほぼ等しい径となる構造について説明したが、図５に示すように、ノズルスリット32の部分で縮径した後に拡径することなく、縮径した径を維持したものであっても構わない。
【００３４】
また、ノズル部材32bの案内面を円筒の円弧状面を利用してコアンダ効果を発揮させるようにしてあるが、給送風を給送管30の管壁に沿って流れるようコアンダ効果を発揮する形状であれば円筒面に限らず、放物面等の適宜な形状であっても構わない。
【００３５】
また、この実施形態ではカッター装置10で発生するトリムＴについて説明したが、抄紙機やワインダー等で発生するトリムをパルパーやトリム処理装置等へ給送する場合にも用いることができる。
【産業上の利用可能性】
【００３６】
この発明は、抄紙機やワインダー、カッター等で巻取紙の端部を切断する際に発生するトリムを、パルパーやトリム処理装置へ安定させて円滑に給送することができることにより、トリムの給送管での詰まりに起因した抄紙機等の運転を停止することがなく、安定した操業を行える。しかも、トリムを高速で給送することができるから、ワインダーやカッター等の運転速度を大きくしても安定して操業することができる。さらに、既設の設備における給送管の一部を変更することにより、容易に実装させることができる。
【図面の簡単な説明】
【００３７】
【図１】この発明に係る紙のトリム給送装置の概略の構造を説明する正面図である。
【図２】図１に示す実施形態に係る紙のトリム給送装置の概略の構造を示す正面図で、一部を切断して示してある。
【図３】図１に示す紙のトリム給送装置の平面図である。
【図４】図２に示す断面図の一部を拡大して示している。
【図５】この発明に係る紙のトリム給送装置の他の実施形態を示す概略の正面図で、図１に相当する図である。
【図６】トリムが発生する場所を例示するもので、カッター装置の概略構造を説明する斜視図である。
【図７】従来の紙のトリム給送装置の一の例について、その概略構造を説明する正面図であり、図１に相当するものである。
【図８】従来の紙のトリム給送装置の他の例について、その概略構造を説明する正面図であり、図１に相当するものである。
【符号の説明】
【００３８】
Ｐ  巻取紙
Ｌ  紙シート
Ｔ  トリム
12  テールスリッター
14  スリッターナイフ
30  給送管
31  チャンバー
31a  ガイド部
31b  底板
32  ノズルスリット
32a  ガイド板部
32b  ノズル部材
【図１】
2006281551.tif 000003
【図２】
2006281551.tif 000004
【図３】
2006281551.tif 000005
【図４】
2006281551.tif 000006
【図５】
2006281551.tif 000007
【図６】
2006281551.tif 000008
【図７】
2006281551.tif 000009
【図８】
2006281551.tif 000010